(57)【要約】  本発明の男性用機能性パンツは、パンツ本体の前面中央に縫製されて陰茎と陰嚢が収容される収容部を含み、前記収容部はパンツ本体の中央に縫製されて陰茎が収容される陰茎収容部と、前記陰茎収容部の下側に配置され陰嚢が収容される陰嚢収容部と、前記陰茎収容部と陰嚢収容部の間に形成されて陰茎収容部と陰嚢収容部の間を区画する区画部とを含み、前記陰茎収容部、前記陰嚢収容部および前記区画部は弾性変形率が互いに異なるように形成して陰茎と陰嚢が互いに接触するのを防止し、陰茎が支えられた状態を維持でき、陰嚢が無理なく収められる。【選択図】図２
2015537129.tif 000002
【特許請求の範囲】
【請求項１】
パンツ本体の前面中央に縫製されて陰茎と陰嚢が収容される収容部を含み、
前記収容部はパンツ本体の中央に縫製されて陰茎が収容される陰茎収容部と、
前記陰茎収容部の下側に配置され陰嚢が収容される陰嚢収容部と、
前記陰茎収容部と陰嚢収容部の間に形成されて陰茎収容部と陰嚢収容部との間を区画する区画部とからなり、
前記区画部の弾性変形率は前記陰嚢収容部および陰茎収容部の弾性変形率より小さく、前記陰嚢収容部の弾性変形率は陰茎収容部の弾性変形率と同一であるかより大きく形成することを特徴とする男性用機能性パンツ。
【請求項２】
前記陰茎収容部および陰嚢収容部は弾性変形率が大きい織物を利用したことであり、前記区画部は前記陰茎収容部および陰嚢収容部より弾性変形率が小さい織物を利用したことを特徴とする請求項１に記載の男性用機能性パンツ。
【請求項３】
前記陰茎収容部および陰嚢収容部はゆるいか薄い形態に織られた織物を利用したことであり、前記区画部は陰茎収容部および陰嚢収容部の織物より稠密であるか厚い形態に織られた織物または前記陰茎収容部および陰嚢収容部の織物とは織られる方向が異なる織物を利用したことを特徴とする請求項１に記載の男性用機能性パンツ。
【請求項４】
前記陰茎収容部は左右両側周縁から中央に行くほど弾性変形率が順次大きくなるように形成されて、左右両側周縁部分の弾性変形率が一番小さく、中央部分の弾性変形率が最も大きく形成されることを特徴とする請求項１に記載の男性用機能性パンツ。
【請求項５】
前記陰茎収容部は区画部と連結された下段から上段に行くほど弾性変形率が順次大きくなるように形成されることを特徴とする請求項１に記載の男性用機能性パンツ。
【請求項６】
前記陰嚢収容部は区画部と連結された上段から下段に行くほど弾性変形率が順次小さくなるように形成されることを特徴とする請求項１に記載の男性用機能性パンツ。
【請求項７】
パンツ本体の前面中央に縫製されて陰茎が収容される陰茎収容部と、前記陰茎収容部の下側に配置され陰嚢が収容される陰嚢収容部とを含み、
前記陰茎収容部および陰嚢収容部は前記パンツ本体に縫製される平面部と、前記平面部と一体に形成され凸なボリュームを与えるようにしわになった形態に形成されるギャザー部とからなり、
前記ギャザー部は前記平面部に比べて相対的に弾性変形率が大きく形成されることを特徴とする男性用機能性パンツ。
【請求項８】
前記陰嚢収容部は前記陰茎収容部と弾性変形率が同一であるか前記陰茎収容部に比べて弾性変形率が大きく形成されることを特徴とする請求項７に記載の男性用機能性パンツ。
【請求項９】
前記平面部とギャザー部は同一の弾性力を有する一つの織物によって一体に形成され、前記ギャザー部はゆるいか薄い形態に形成され、前記平面部は稠密であるか厚い形態または織る方向が前記ギャザー部と異なるように形成されることを特徴とする請求項７に記載の男性用機能性パンツ。
【請求項１０】
前記陰茎収容部と陰嚢収容部の間には前記陰茎収容部と陰嚢収容部の間を区画する第１区画バンドが取り付けられることを特徴とする請求項７に記載の男性用機能性パンツ。
【請求項１１】
前記陰茎収容部の周縁には前記陰茎収容部とパンツ本体の間を区画する第２区画バンドが取り付けられることを特徴とする請求項７に記載の男性用機能性パンツ。
【請求項１２】
前記陰嚢収容部の周縁には前記陰嚢収容部とパンツ本体の間を区画する第３区画バンドが取り付けられることを特徴とする請求項７に記載の男性用機能性パンツ。
【請求項１３】
前記陰茎収容部は前方に突出したポケット形態に形成され、陰嚢収容部は前記陰茎収容部の下側に位置し前方に突出したポケット形態に形成され、
前記区画部は前記陰茎収容部の両側面に配置されて陰茎が陰茎収容部から離脱するのを防止する第１区画部と、前記陰茎収容部と陰嚢収容部の間に配置されて陰茎収容部と陰嚢収容部の間を区画する第２区画部とを含むことを特徴とする請求項１に記載の男性用機能性パンツ。
【請求項１４】
前記陰茎収容部、陰嚢収容部および区画部は弾性変形率が互いに異なる原糸で形成されたり、同じ原糸にその密度、織る方法、方向などを異にして製織して弾性変形率が互いに異なるように形成することを特徴とする請求項１３に記載の男性用機能性パンツ。
【請求項１５】
前記陰茎収容部と陰嚢収容部は前方に膨らむように突出した形態を有するように中央に垂直方向に縫製部が形成され、前記陰茎収容部と陰嚢収容部の背面には縫製部を隠すための補助収容部が形成されることを特徴とする請求項１３に記載の男性用機能性パンツ。
【請求項１６】
前記収容部の外面には収容部とパンツ本体の間を区画する区画バンドが取り付けられ、前記区画バンドはシリコンバンド、弾性力が大きいかない繊維で織ったバンドのうちのいずれか一つが用いられることを特徴とする請求項１３に記載の男性用機能性パンツ。
【請求項１７】
前記陰茎収容部は前方に突出したポケット形態に形成され、陰嚢収容部は前記陰茎収容部の下側に位置し前方に突出したポケット形態に形成され、
前記区画部は前記陰茎収容部の両側面に配置されて陰茎が陰茎収容部から離脱するのを防止する第１区画部と、前記陰嚢収容部の両側面に配置されて陰嚢が離脱するのを防止する第２区画部と、前記陰茎収容部と陰嚢収容部の間に配置されて陰茎収容部と陰嚢収容部の間を区画する第３区画部とを含むことを特徴とする請求項１に記載の男性用機能性パンツ。
【発明の詳細な説明】
【技術分野】
【０００１】
本発明は、陰茎と陰嚢を互いに分離すると共に陰茎および陰嚢が股に接触するのを防止することができて衛生性を向上させ、陰茎を常に上向き状態に維持できて着用感が良好な男性用機能性パンツに関する。
【背景技術】
【０００２】
最近、着こなしなどが強調される傾向にあって男性用パンツの場合も着用時に人体に密着させる傾向がある。このような男性用パンツを着用する場合、陰茎および陰嚢がパンツの弾力によって相互密着したり股に接触した状態になって陰嚢の温度を上昇させることになり睾丸および副睾丸の精子の生成および培養能力を低下させるだけでなく、湿気によって嚢湿症および湿疹などを誘発させるという問題点がある。このような問題点を考慮して陰茎および陰嚢がパンツから圧迫されずに自然な状態で分離収容されるようにした男性用機能性パンツが考案されている。
【０００３】
従来の男性用機能性パンツは韓国特許第１０−０４６４２８５号公報（２００４年１２月２２日）に開示されたように、パンツの中央に形成された通孔の前側に長く延長された陰茎収容部が具備された前側面と、表面が粗い摩擦織物と外皮が一体に接着され、内周面に陰嚢が収容される補助ポケットが付設され、前記陰茎収容部の外側に一体に縫製する保護カバーとで構成される。
【０００４】
しかし、従来の男性用パンツは陰茎収容部が前方に突出している構造であるため、パンツを人体に密着して着用する際、膨らむように突出するようになり美観上良くないし、着用時に陰茎収容部に陰茎を取り入れなければならないので着用に不便な問題がある。
【０００５】
また、既存の機能性パンツのように陰茎と陰嚢を互いに分離するポケットがあっても陰茎を下に向けてパンツを着用し活動をすれば陰茎と陰嚢が相互接触する恐れがあり、湿気が発生する恐れがある。
【０００６】
特に、男性用パンツを身体に密着して着用する際、陰茎が下向きの状態であれば不便であるので、その度に着用者はパンツの中に手を差し込んで陰茎を上向きになるように姿勢を直すことになる。したがって、見た目も悪いし、衛生上良くないという問題がある。
【発明の概要】
【発明が解決しようとする課題】
【０００７】
したがって、本発明の目的は、陰茎と陰嚢を相互分離すると共に陰茎と陰嚢を股と分離できるようにして湿気が多くなるのを防止し、衛生性を向上させることができ、陰茎が常に上向きの状態を維持できるようにして活動が楽な男性用機能性パンツを提供することにある。
【０００８】
本発明の他の目的は、陰茎収容部、陰嚢収容部および区画部の弾性変形率を互いに異なるように形成して陰茎と陰嚢が互いに接触することを防止し、陰茎が支えられた状態を維持することができ、陰嚢が無理なく収められる男性用機能性パンツを提供することにある。
【０００９】
本発明のまた他の目的は、陰茎収容部および陰嚢収容部が周縁に配置される平面部と中央に配置されるギャザー部とで構成されてギャザー部によって凸なボリュームを形成し平面部とギャザー部とを一回の製織工程で一体に形成することによって、製造工程を短縮できる男性用機能性パンツを提供することにある。
【００１０】
本発明のまた他の目的は、ギャザー部と平面部の弾性変形率を互いに異にして陰茎および陰嚢を無理なく収容し、陰茎および陰嚢が収容部から離脱するのを防止できる男性用機能性パンツを提供することにある。
【００１１】
本発明のまた他の目的は、陰茎収容部と陰嚢収容部の間に区画バンドを設置して陰茎収容部と陰嚢収容部の間を相互分離できる男性用機能性パンツを提供することにある。
【００１２】
本発明のまた他の目的は、陰茎収容部と陰嚢収容部のうちの少なくとも一つに区画バンドを設置してパンツ本体と収容部の間を区画して陰茎と陰嚢が収容部から離脱するのを防止できる男性用機能性パンツを提供することにある。
【課題を解決するための手段】
【００１３】
前記目的を達成するために、本発明の男性用機能性パンツは、パンツ本体の前面中央に縫製されて陰茎と陰嚢が収容される収容部を含み、前記収容部はパンツ本体の中央に縫製されて陰茎が収容される陰茎収容部と、前記陰茎収容部の下側に配置され陰嚢が収容される陰嚢収容部と、前記陰茎収容部と陰嚢収容部の間に形成されて陰茎収容部と陰嚢収容部との間を区画する区画部とからなり、前記区画部の弾性変形率は前記陰嚢収容部および陰茎収容部の弾性変形率より小さく、前記陰嚢収容部の弾性変形率は陰茎収容部の弾性変形率と同一であるかより大きく形成することを特徴とする。
【００１４】
前記陰茎収容部および陰嚢収容部は弾性変形率が大きい織物を利用したことであり、前記区画部は前記陰茎収容部および陰嚢収容部より弾性変形率が小さい織物を利用したことを特徴とする。
【００１５】
前記陰茎収容部および陰嚢収容部はゆるいか薄い形態に織られた織物を利用したことであり、前記区画部は陰茎収容部および陰嚢収容部の織物より稠密であるか厚い形態に織られた織物または前記陰茎収容部および陰嚢収容部の織物とは織られる方向が異なる織物を利用したことを特徴とする。
【００１６】
前記陰茎収容部は左右両側周縁から中央に行くほど弾性変形率が順次大きくなるように形成されて、左右両側周縁部分の弾性変形率が一番小さく、中央部分の弾性変形率が最も大きく形成されることを特徴とする。
【００１７】
前記陰茎収容部は区画部と連結された下段から上段に行くほど弾性変形率が順次大きくなるように形成されることを特徴とする。
【００１８】
前記陰嚢収容部は区画部と連結された上段から下段に行くほど弾性変形率が順次小さくなるように形成されることを特徴とする。
【００１９】
本発明の男性用機能性パンツは、パンツ本体の前面中央に縫製されて陰茎が収容される陰茎収容部と、前記陰茎収容部の下側に配置され陰嚢が収容される陰嚢収容部とを含み、前記陰茎収容部および陰嚢収容部は前記パンツ本体に縫製される平面部と、前記平面部と一体に形成され凸なボリュームを与えるようにしわになった形態に形成されるギャザー部となり、前記ギャザー部は前記平面部に比べて相対的に弾性変形率が大きく形成されることを特徴とする。
【００２０】
前記平面部とギャザー部は同一の弾性力を有する一つの織物によって一体に形成され、前記ギャザー部はゆるいか薄い形態に形成され、前記平面部は稠密であるか厚い形態または織る方向が前記ギャザー部と異なるように形成されることを特徴とする。
【００２１】
前記陰茎収容部と陰嚢収容部との間には前記陰茎収容部と陰嚢収容部の間を区画する第１区画バンドが取り付けられることを特徴とする。
【００２２】
前記陰茎収容部の周縁には前記陰茎収容部とパンツ本体の間を区画する第２区画バンドが取り付けられることを特徴とする。
【００２３】
前記陰嚢収容部の周縁には前記陰嚢収容部とパンツ本体の間を区画する第３区画バンドが取り付けられることを特徴とする。
【００２４】
前記陰茎収容部は前方に突出したポケット形態に形成され、陰嚢収容部は前記陰茎収容部の下側に位置し前方に突出したポケット形態に形成され、前記区画部は前記陰茎収容部の両側面に配置されて陰茎が陰茎収容部から離脱するのを防止する第１区画部と、前記陰茎収容部と陰嚢収容部の間に配置されて陰茎収容部と陰嚢収容部の間を区画する第２区画部とを含むことを特徴とする。
【００２５】
前記陰茎収容部、陰嚢収容部および区画部は弾性変形率が互いに異なる原糸で形成したり、同じ原糸にその密度、織る方法、方向などを異にして製織して弾性変形率が互いに異なるように形成することを特徴とする。
【００２６】
前記陰茎収容部と陰嚢収容部は前方に膨らむように突出した形態を有するように中央に垂直方向に縫製部が形成され、前記陰茎収容部と陰嚢収容部の背面には縫製部を隠すための補助収容部が形成されることを特徴とする。
【００２７】
前記収容部の外面には収容部とパンツ本体の間を区画する区画バンドが取り付けられ、前記区画バンドはシリコンバンド、弾性力が大きいかない繊維から織ったバンドのうちのいずれか一つが使用されることを特徴とする。
【発明の効果】
【００２８】
前記のように、本発明の男性用機能性パンツは、陰茎と陰嚢を相互分離すると共に陰茎と陰嚢を股と分離できるようにして湿気が多くなるのを防止し、衛生性を向上させることができ、陰茎が常に上向きの状態を維持できるようにして活動が楽である長所がある。
【００２９】
また、本発明の男性用機能性パンツは、陰茎収容部、陰嚢収容部および区画部の弾性変形率を互いに異にして形成して陰茎と陰嚢が互いに接触するのを防止し、陰茎が支えられた状態を維持でき、陰嚢が無理なく収められる。
【００３０】
また、本発明の男性用機能性パンツは、陰茎収容部および陰嚢収容部が周縁に配置される平面部と中央に配置されるギャザー部とで構成されてギャザー部によって凸なボリュームを形成し平面部とギャザー部を一回の製織工程で一体に形成することによって、製造工程を短縮できる長所がある。
【００３１】
また、本発明の男性用機能性パンツは、ギャザー部と平面部の弾性変形率を互いに異にして陰茎および陰嚢を無理なく収容し、陰茎および陰嚢が収容部から離脱するのを防止できる長所がある。
【００３２】
また、本発明の男性用機能性パンツは、陰茎収容部と陰嚢収容部の間に区画バンドを設置して陰茎収容部と陰嚢収容部との間を相互分離して陰嚢と陰茎が相互接触するのを防止できる長所がある。
【００３３】
また、本発明の男性用機能性パンツは、陰茎収容部と陰嚢収容部のうちの少なくとも一つに区画バンドを設置してパンツ本体と収容部の間を区画して陰茎と陰嚢が股など身体に接触するのを防止できる長所がある。
【図面の簡単な説明】
【００３４】
【図１】本発明の第１実施例による男性用機能性パンツの斜視図である。
【図２】本発明の第１実施例による収容部の平面図である。
【図３】本発明の第２実施例による収容部の平面図である。
【図４】本発明の第３実施例による収容部の平面図である。
【図５】本発明の第４実施例による収容部の平面図である。
【図６】本発明の第５実施例による男性用機能性パンツの斜視図である。
【図７】本発明の第５実施例による収容部の平面図である。
【図８】本発明の第５実施例による機能性パンツを着用した状態の収容部の断面図である。
【図９】本発明の第６実施例による収容部の平面図である。
【図１０】本発明の第７実施例による収容部の平面図である。
【図１１】本発明の第８実施例による収容部の平面図である。
【図１２】本発明の第９実施例による男性用機能性パンツの斜視図である。
【図１３】本発明の第９実施例による男性用機能性パンツの収容部の平面図である。
【図１４】本発明の第９実施例による男性用機能性パンツの収容部の断面図である。
【図１５】本発明の第１０実施例による男性用機能性パンツの収容部の平面図である。
【発明を実施するための形態】
【００３５】
以下、添付図面を参照して本発明による実施例を詳しく説明する。また、以下の図面において、構成要素の大きさや形状などは説明の便宜および明確性のために誇張されたものである。また、本発明の構成および作用を考慮して特に定義された用語は使用者、運用者の意図または慣例により異なることができる。このような用語に対する定義は本明細書全般にわたった内容に基づいて下さなければならない。
【００３６】
図１は本発明の第１実施例による収容部を有する男性パンツの斜視図であり、図２は本発明の第１実施例による男性用機能性パンツの収容部の内面平面図である。
【００３７】
図１および図２を参照すれば、本発明の第１実施例による機能性パンツは、パンツ本体１０と、パンツ本体１０の前面中央に縫製されて陰茎１００と陰嚢１１０が収容される収容部２０とを含む。
【００３８】
パンツ本体１０は上側に腰を囲む弾性バンド１２が取り付けられ、下側は両分岐に分離されて脚が通過する脚通過ホール１４が形成される。
【００３９】
このようなパンツ本体１０は四角ボックス形態のパンツを適用することができ、三角パンツ形態を適用することもできる。つまり、パンツの形態に関係なしにすべての男性用パンツに適用可能である。
【００４０】
収容部２０は上側に配置されて陰茎１００が収容される陰茎収容部３０と、陰茎収容部３０の下側に配置されて陰嚢１１０が収容される陰嚢収容部４０とを含む。
【００４１】
陰茎収容部３０は周縁に位置してパンツ本体１０に縫製され平らな形態を有する平面部３２と、平面部３２の中央に配置されて陰茎が収容されるように凸なボリュームをあたえるしわになった形態のギャザー部３４とを含む。
【００４２】
陰嚢収容部４０は陰茎収容部３０の下側に位置し周縁に位置して平らな形態を有する平面部４２と、平面部４２の中央側に配置され陰嚢が収容されるように凸なボリュームをあたえるしわになった形態のギャザー部４４とを含む。
【００４３】
陰茎収容部３０および陰嚢収容部４０はパンツ本体１０と別途に製造されてパンツ本体の前面中央に縫製される構造以外に、パンツ本体と一体に形成される構造も適用可能である。
【００４４】
つまり、パンツ本体の前面中央に平面部がパンツ本体と一体に形成され、平面部の内側にギャザー部が平面部と一体に形成される構造も適用可能である。
【００４５】
平面部３２、４２はギャザー部３４、４４の外周面全体に形成されることができ、ギャザー部３４、４４の両側面にだけ形成されることもできる。
【００４６】
ここで、平面部３２、４２とギャザー部３４、４４は一回の製織工程で織る方式を互いに異にして一体に形成されるので、凸な形態のギャザー部３４、４４を形成するための別途の工程が不必要で製造工程を短縮することができる。
【００４７】
ギャザー部３４、４４は側面に多数のシワが形成されるように製造されるので弾性を有しながら凸なボリュームを形成することができて陰茎１００および陰嚢１１０が無理なく収容され、身体条件に応じて異なる陰茎および陰嚢サイズにより収縮および弛緩して陰茎１００および陰嚢１１０が収容部２０から離脱するのを防止することができる。
【００４８】
平面部３２、４２とギャザー部３４、４４は弾性変形率が互いに異なるように形成される。一例として、ギャザー部３４、４４が平面部３２、４２に比べて相対的に弾性変形率が大きく形成される。つまり、平面部は弾性変形率が相対的に小さく形成されて陰茎および陰嚢が収容部から離脱するのを防止し、ギャザー部３４、４４は弾性変形率が大きく形成されて陰茎サイズの変化に十分に対応できるようにすると共に陰茎と陰嚢が無理なく収容されるようにする。
【００４９】
平面部３２、４２とギャザー部３４、４４の製造方法を察してみると、同一の弾性力を有する一つの原糸を利用して、織る際にギャザー部３４、４４は緩く織り、平面部３２、４２は稠密に織って平面部３２、４２とギャザー部３４、４４の弾性変形率が異なるようにする。
【００５０】
そして、平面部３２、４２とギャザー部３４、４４の他の製造方法は同一の弾性力を有する一つの織物を利用してギャザー部３４、４４は薄い形態に織り、平面部３２、４２は厚い形態に織ったり、平面部３２、４２とギャザー部３４、４４の織る方向を異にして弾性変形率が互いに異なるように形成することができる。
【００５１】
そして、平面部３２、４２とギャザー部３４、４４の他の製造方法は平面部３２、４２とギャザー部３４、４４は弾性力が互いに異なる原糸でそれぞれ織り、平面部３２、４２は平面形態に形成し、ギャザー部３４、４４はシワ形態に形成して平面部とギャザー部の弾性変形率が互いに異なるようにする。
【００５２】
第２実施例による収容部は図３に示されているように、陰茎収容部３０と陰嚢収容部４０の間に陰茎収容部３０と陰嚢収容部４０の間を区画する第１区画バンド６０が取り付けられる。
【００５３】
第１区画バンド６０はシリコンバンド、弾性変形率がなかったり弾性変形率が小さい繊維で織ったバンドまたは陰茎収容部３０と陰嚢収容部４０の間に捺染したバンドのうちのいずれか一つが用いられる。
【００５４】
第１区画バンド６０は陰茎収容部３０と陰嚢収容部４０との間に裁縫で固定することができ、裁縫以外に接着などの方法も適用可能である。
【００５５】
陰茎収容部３０と陰嚢収容部４０の間に第１区画バンド６０が別途に設置されて陰茎収容部３０と陰嚢収容部４０との間を確実に区画することによって、陰茎と陰嚢が互いに接触するのを防止することができる。
【００５６】
第３実施例による収容部２０は図４に示されているように、陰茎収容部３０と陰嚢収容部４０の間に設置されて陰茎収容部３０と陰嚢収容部４０の間を区画する第１区画バンド６０と、陰嚢収容部４０の周縁に設置されて陰嚢収容部４０とパンツ本体１０の間を区画する第２区画バンド７０とを含む。
【００５７】
第３実施例による収容部は第２区画バンド７０が陰嚢収容部４０の周縁に設置されて陰嚢が陰嚢収容部４０から離脱するのを防止し、よって、陰嚢が股など身体部位と接触するのを防止することができる。
【００５８】
第２区画バンド７０は陰嚢収容部４０の両側面にだけ設置することができ、陰嚢収容部４０の外面全体に設置することもできる。
【００５９】
第２区画バンド７０は第１区画バンド６０と同様にシリコンバンド、弾性変形率がなかったり弾性変形率が小さい繊維で織ったバンドまたは陰茎収容部と陰嚢収容部の間に捺染したバンドのうちのいずれか一つが用いられる。
【００６０】
第４実施例による収容部は図５に示されているように、陰茎収容部３０と陰嚢収容部４０の間に設置されて陰茎収容部３０と陰嚢収容部４０の間を区画する第１区画バンド６０と、陰嚢収容部４０の周縁に設置されて陰嚢収容部４０とパンツ本体１０の間を区画する第２区画バンド７０と、陰茎収容部３０の周縁に設置されて陰茎収容部３０とパンツ本体１０の間を区画する第３区画バンド８０とを含む。
【００６１】
第４実施例による収容部は陰茎収容部３０の周縁に第３区画バンド８０を設置して陰茎が陰茎収容部３０から離脱するのを防止して、陰茎が股など身体と接触するのを防止する。
【００６２】
第４区画バンド８０は第２区画バンド７０と同様にシリコンバンド、弾性変形率がなかったり弾性変形率が小さい繊維で織ったバンドまたは陰茎収容部と陰嚢収容部の間に捺染したバンドのうちのいずれか一つが用いられる。
【００６３】
図６は本発明の第５実施例による男性用機能性パンツの斜視図であり、図７は本発明の第５実施例による男性用機能性パンツの収容部の正面図であり、図８は本発明の第５実施例による男性用機能性パンツを着用した状態の断面図である。
【００６４】
図６乃至図８を参照すれば、本発明の第５実施例による機能性パンツの収容部２０はパンツ本体１０の前面中央に縫製され陰茎１００が収容される陰茎収容部３０と、陰茎収容部３０の下側に配置され陰嚢１１０が収容される陰嚢収容部４０と、陰茎収容部３０と陰嚢収容部４０を区画する区画部２８とを含む。
【００６５】
収容部２０の周縁にはパンツ本体１０に縫製される縫製線１４が形成される。
【００６６】
このような収容部２０は陰茎１００が支えられた状態を維持でき陰嚢１１０が離脱せずに陰嚢収容部４０に収容された状態を維持できるように区間別に弾性力がそれぞれ異なる形態に形成される。
【００６７】
そして、収容部２０は両側面が膨らむように突出した形態に形成することができ、最初は両側面が直線形態であり、陰茎および陰嚢が収容されれば両側に膨らむように突出した形態を有することができる。
【００６８】
収容部２０は陰茎収容部３０、陰嚢収容部４０、および区画部２８の弾性変形率をそれぞれ異なるように形成する。つまり、陰嚢収容部４０の弾性変形率が最も大きく形成され、陰茎収容部３０の弾性変形率は陰嚢収容部４０の弾性変形率に比べて小さく形成され、区画部２８の弾性変形率は陰茎収容部３０の弾性変形率に比べて小さく形成される。
【００６９】
区画部２８の場合、陰茎収容部と陰嚢収容部の間を区画して陰茎と陰嚢が互いに接触するのを防止できるようによく伸びない構造を有する。
【００７０】
そして、陰茎収容部３０は陰茎１００が支えられた状態で維持すると共に陰茎の大きさがそれぞれ異なっても十分に陰茎を無理なく収容できるようによく伸びる構造に形成され、陰嚢収容部４０も陰嚢の大きさが異なっても十分に陰嚢１１０を無理なく収容できるようによく伸びる構造に形成される。
【００７１】
このような収容部の製造方法は、陰茎収容部３０、陰嚢収容部４０および区画部２８を同一の弾性力を有する一つの織物を利用して織る際に陰茎収容部３０および陰嚢収容部４０は緩い形態に織り、区画部２８は稠密な形態に織って弾性変形率が互いに異なるように形成する。
【００７２】
そして、収容部の他の製造方法は、陰茎収容部３０、陰嚢収容部４０および区画部２８を同一の弾性力を有する一つの織物を利用して織る際に陰茎収容部３０および陰嚢収容部４０は緩く織ったり薄い形態に織り、区画部２８は稠密であるか厚い形態または陰茎収容部３０および陰嚢収容部４０と織る方向を異にして弾性変形率が互いに異なるように形成することができる。
【００７３】
収容部のまた他の製造方法は、陰茎収容部３０、陰嚢収容部４０および区画部２８をそれぞれ弾性力が互いに異なる織物を利用して織る際に陰茎収容部および陰嚢収容部は弾性変形率が大きい織物で織り、区画部は弾性変形率が小さい織物で織って弾性変形率が互いに異なるように形成することができる。
【００７４】
このような方法以外に、陰茎収容部３０、陰嚢収容部４０および区画部２８をそれぞれ弾性力が互いに異なる繊維を配置した後、繊維の間を縫製などの方法で連結してそれぞれ異なる弾性力を有するようにすることができる。
【００７５】
図９は本発明の第６実施例による収容部の正面図である。
【００７６】
第６実施例による収容部２０は陰茎収容部３０、陰嚢収容部４０および区画部２８で構成され、陰茎収容部３０および陰嚢収容部４０は側方向に互いに異なる弾性力を有するように形成される。
【００７７】
陰茎収容部３０は幅方向に左右側周縁から中央に行くほど弾性変形率が順次大きくなるように形成される。つまり、左側と右側周縁部分の弾性変形率が一番小さく、中央に行くほど弾性変形率が順次大きくなり、中央部分の弾性変形率が最も大きく形成される。
【００７８】
このように、陰茎収容部３０は中央部分つまり、陰茎１００が直接接触する部分は弾性変形率を大きくして変形が容易になるようにする。つまり、陰茎１００はパンツを着た状態で大きくなったり小さくなることができるが、陰茎収容部１００の中央部分の弾性変形率が大きいので陰茎が大きくなったり小さくなっても陰茎１００が無理なく収容され陰茎１００が支えられた状態を維持できるようにする。
【００７９】
そして、陰茎収容部３０の左右の側面周縁部分は弾性変形率が小さく形成されて陰茎１００が支えられた状態を維持できるように支持する役割を果たす。つまり、陰茎収容部３０の左右の側面周縁部分の弾性変形率が小さいので陰茎が左側や右側に傾けるのを防止し、陰茎１００が支えられた状態を維持できるようにする。
【００８０】
陰嚢収容部４０は陰茎収容部と同一に幅方向に左右側周縁から中央に行くほど弾性変形率が順次大きくなるように形成される。
【００８１】
陰嚢収容部４０の中央部分は弾性変形率を大きくして人ごとにそれぞれ異なる大きさを有する陰嚢１１０が無理なく収められ、左右側周縁部分は弾性変形率を小さくして陰嚢収容部４０の周縁に強い弾性力を付与することで、陰嚢１１０が陰嚢収容部４０から離脱するのを防止する。
【００８２】
ここで、陰茎収容部３０は同一の弾性力を有する一つの織物を利用して織る際に左右側周縁部分は稠密な形態に織り、中央部分に行くほど順次緩い形態に織って、左右側周縁部分から中央部分に行くほど順次弾性変形率が大きくなる構造を有するようにする。
【００８３】
図１０は本発明の第７実施例による収容部の正面図である。
【００８４】
第３実施例による収容部２０は陰茎収容部３０、陰嚢収容部４０および区画部２８で構成され、陰茎収容部３０および陰嚢収容部４０は上下方向に互いに異なる弾性力を有するように形成される。
【００８５】
陰茎収容部３０は区画部２８と隣接した下段から上段に行くほど弾性変形率が順次小さくなる構造に形成される。つまり、区画部２８に連結された下段部分は弾性変形率を最も大きく形成し、上段に行くほど順次弾性変形率が小さくなり上段部分の弾性変形率が一番小さくなるように形成される。
【００８６】
そして、陰嚢収容部４０は区画部２８に隣接した上段から下段に行くほど弾性変形率が順次小さくなるように形成される。つまり、区画部２８と連結された上段部分は弾性変形率を最も大きく形成し、下段に行くほど順次弾性変形率が小さくなり、下段部分の弾性変形率が一番小さくなるように形成される。
【００８７】
図１１は本発明の第８実施例による収容部の正面図である。
【００８８】
第４実施例による収容部２０は陰茎収容部３０、陰嚢収容部４０および区画部２８で構成され、陰茎収容部３０および陰嚢収容部４０は区間別に互いに異なる弾性力を有するように形成される。
【００８９】
陰茎収容部３０は陰茎１００が支えられた状態を維持するように区間別に弾性力が異なる形態を有する。つまり、陰茎収容部３０は陰茎１００が直接接触する中央部分に形成され大きい弾性変形率を有する第１弾性部３２と、第１弾性部３２の左右外側部分に形成され小さい弾性変形率を有する第２弾性部３４とを含む。
【００９０】
第１弾性部３２は陰茎収容部３０の中央部分つまり、陰茎が直接接触する部分で、弾性変形率が第２弾性部３４に比べて大きく形成されて変形が容易になる。つまり、陰茎１００はパンツを着た状態で大きくなったり小さくなることができるが、第１弾性部３２は弾性変形率が大きいので陰茎が大きくなったり小さくなっても陰茎１００が無理なく収容されて陰茎１００が支えられた状態を維持できるようにする。
【００９１】
第２弾性部３４は第１弾性部３２の外側部分に配置され第１弾性部３２に比べて弾性変形率が小さく形成されて陰茎１００が支えられた状態を維持できるように支持する役割を果たす。つまり、陰茎収容部３０の両側周縁部分の変形率が小さいので第１弾性部３２に収容された陰茎が左側や右側に傾けるのを防止し、陰茎１００が支えられた状態を維持できるようにする。
【００９２】
陰茎収容部３０は第１弾性部３２および第２弾性部３４の２段階に形成する以外に、内側部分から外側部分に行くほど弾性係数が順次大きくなる（弾性変形率が順次小さくなる）それぞれ異なる３段階または３段階以上に形成することが可能である。
【００９３】
ここで、陰茎収容部３０は一定の弾性力を有する一つの繊維を利用して織る方式で区間別に弾性力が互いに異なるように形成することができる。つまり、第１弾性部３２は弾性変形率が大きくなるように緩い形態に織り、第２弾性部３４は弾性変形率が小さくなるように稠密な形態に織る。
【００９４】
このような方法以外に、陰茎収容部３０は第１弾性部３２と第２弾性部３４を弾性力が互いに異なる繊維に形成することも可能である。
【００９５】
陰嚢収容部４０は中央部分に形成され弾性変形率が大きい第３弾性部４２と、外側部分に形成され弾性変形率が小さい第４弾性部４４とを含む。
【００９６】
ここで、陰嚢収容部４０は陰嚢１１０が収容されやすいように陰嚢形態または円形など多様な形態に形成することができる。
【００９７】
第３弾性部４２は前述した第１弾性部３２と同様に弾性変形率を大きくして人ごとにそれぞれ異なる大きさの陰嚢１１０が無理なく収められ、第４弾性部４４は第３弾性部４２に比べて弾性変形率を小さく形成して陰嚢収容部４０の周縁に強い弾性力を付与することで、陰嚢１１０が陰嚢収容部４０から離脱するのを防止する。
【００９８】
このように、第８実施例による収容部２０は弾性変形率が比較的大きい第１弾性部３２に陰茎が立てられた状態で支持されるので人ごとにそれぞれ異なる陰茎１００の大きさおよび形態に対して十分に対応でき、陰茎を無理なく支持できる。
【００９９】
そして、弾性変形率が比較的に小さい第２弾性部３４が第１弾性部３２の外側に位置して陰茎１００が左側または右側に傾くのを防止し、これによって、陰茎１００が活動中に垂れ下がることを防止することができる。
【０１００】
そして、陰嚢収容部４０は弾性変形率が比較的大きい第３弾性部４２に陰嚢１１０が安着するので人ごとにそれぞれ異なる陰嚢の大きさに十分に対応でき、陰嚢が比較的に無理なく安着できる。
【０１０１】
そして、弾性変形率が比較的に小さい第４弾性部４４が第３弾性部４２を囲むように配置されて陰嚢１１０が傾くか陰嚢収容部４０から離脱するのを防止することができる。
【０１０２】
図１２は本発明の第９実施例による男性用機能性パンツの斜視図であり、図１３は本発明の第９実施例による男性用機能性パンツの収容部の平面図であり、図１４は本発明の第９実施例による男性用機能性パンツの収容部の断面図である。
【０１０３】
図１２乃至図１４を参照すれば、本発明の第９実施例による機能性パンツはパンツ本体１０と、パンツ本体１０の前面中央に備えられて陰茎１００および陰嚢１１０が収容される収容部２０とを含む。
【０１０４】
収容部２０は陰茎１００が収容される陰茎収容部３０と、陰嚢１１０が収容される陰嚢収容部４０と、陰茎収容部３０と陰嚢収容部４０の間に位置して陰茎収容部３０と陰嚢収容部４０の間を区画する区画部５０とを含む。
【０１０５】
陰茎収容部３０はパンツ本体１０の前方上側に配置され陰茎１００が収容されるように前方に突出したポケット形態に形成され、弾性変形率が比較的大きい伸縮可能な材質で形成される。このように、陰茎収容部３０は伸縮可能な材質からなり、前方に突出した形態に形成されるので陰茎サイズがそれぞれ異なっても無理なく収容できる。
【０１０６】
陰嚢収容部４０は陰茎収容部３０の下側に位置し前方に突出したポケット形態に形成され、陰茎収容部３０の弾性変形率と同一の弾性変形率を有するか陰茎収容部３０に比べて弾性変形率が大きく形成されることができる。このような陰嚢収容部４０は伸縮可能な材質からなり陰嚢が無理なく収められ、多様なサイズの陰嚢が収容可能であるので身体サイズがそれぞれ異なる場合にも陰嚢を十分に無理なく収容できる。
【０１０７】
区画部５０は陰茎収容部３０の両側面に配置されて陰茎１００が陰茎収容部３０から離脱するのを防止する第１区画部５２と、陰茎収容部３０と陰嚢収容部４０の間に配置されて陰茎収容部３０と陰嚢収容部４０の間を区画する第２区画部５４とを含む。
【０１０８】
このような区画部５０は陰茎収容部３０および陰嚢収容部４０に比べて弾性変形率が小さく形成される。つまり、区画部５０は陰茎収容部３０の周縁および陰茎収容部３０と陰嚢収容部４０の間に陰茎収容部３０および陰嚢収容部４０に比べて弾性変形率が小さいか、弾性変形率が殆どない布で縫製することができる。
【０１０９】
第１区画部５０は陰茎収容部３０の両側面に一定の幅をもって縫製され陰茎収容部３０と弾性変形率が互いに異なるように形成されて陰茎収容部３０の形状を維持できるように支持する役割を果たす。
【０１１０】
そして、第２区画部５４は陰茎収容部３０と陰嚢収容部４０より弾性変形率が小さいか、弾性変形率が殆どない材質で形成されて陰茎収容部３０と陰嚢収容部４０との間を確実に区画する。したがって、陰茎１００と陰嚢１１０が互いに接触するのを防止して衛生性を向上させる。
【０１１１】
区画部５０の周縁および陰嚢収容部４０の周縁には区画バンド５５が配置されて収容部２０とパンツ本体１０の領域を区画し収容部２０全体を支持する役割を果たす。
【０１１２】
区画バンド５５はシリコンバンド、弾性力がなかったり、弾性力が大きい繊維で織ったバンドまたは収容部２０とパンツ本体１０の間に捺染したバンドのうちのいずれか一つが用いられる。このような区画バンド５５は収容部２０とパンツ本体１０の間に裁縫で固定することができ、裁縫以外に接着などの方法も適用可能である。
【０１１３】
陰茎収容部３０、陰嚢収容部４０および区画部５０は弾性変形率が互いに異なる原糸で織ったり、同じ原糸にその密度、方法、方向などを異にして製織して弾性変形率が異なるように形成される。
【０１１４】
このように、収容部２０の外面に区画バンド５５を設置して収容部２０とパンツ本体１０の間を確実に区画すると共に収容部２０の強度を補強する役割を果たす。
【０１１５】
陰茎収容部３０と陰嚢収容部４０は凸な形態に製造するためにその内面中央に縫製線が形成される。このような縫製線は陰茎１００や陰嚢１１０が接触すると不便さをもたらすことになるため、陰茎ポケット３０と陰嚢ポケット４０の背面には縫製線を隠して陰茎と陰嚢を無理なく収容するための補助収容部５７が具備される。
【０１１６】
ここで、補助収容部５７は陰茎収容部３０および陰嚢収容部４０と同一の弾性変形率を有することができる。
【０１１７】
図１５は本発明の第１０実施例による収容部の平面図である。
【０１１８】
第９実施例による収容部の陰茎収容部３０と陰嚢収容部４０は前述した第９実施例における陰茎収容部３０および陰嚢収容部４０と同一である。
【０１１９】
区画部６２は陰茎収容部３０の周縁に形成される第１区画部６４と、陰嚢収容部４０の周縁に形成される第２区画部６８と、陰茎収容部３０と陰嚢収容部４０の間を区画する第３区画部６６とを含む。
【０１２０】
このように、第１０実施例による収容部は第１区画部６４が陰茎収容部３０の外面に配置されて陰茎収容部３０を支持し、第２区画部６８が陰嚢収容部４０の外面に配置されて陰嚢収容部４０を支持することによって、陰茎１００と陰嚢１１０が陰茎収容部３０および陰嚢収容部４０から離脱するのを防止する。
【０１２１】
以上、本発明を特定の望ましい実施例を例にあげて説明したが、本発明は前記実施例に限定されず、本発明の精神を逸脱しない範囲内で当該発明の属する技術分野で通常の知識を有する者によって様々な変更および修正が可能であることが理解できる。
【産業上の利用可能性】
【０１２２】
本発明は、男性用パンツに陰嚢と陰茎が収容される収容部を備えて陰茎と陰嚢を互いに分離し、陰茎と陰嚢が身体に接触するのを防止できて精子の生成および培養能力を向上させ湿気による各種病気が発生するのを防止でき、着用感が良い男性用パンツを提供する。
【図１】
2015537129.tif 000003
【図２】
2015537129.tif 000004
【図３】
2015537129.tif 000005
【図４】
2015537129.tif 000006
【図５】
2015537129.tif 000007
【図６】
2015537129.tif 000008
【図７】
2015537129.tif 000009
【図８】
2015537129.tif 000010
【図９】
2015537129.tif 000011
【図１０】
2015537129.tif 000012
【図１１】
2015537129.tif 000013
【図１２】
2015537129.tif 000014
【図１３】
2015537129.tif 000015
【図１４】
2015537129.tif 000016
【図１５】
2015537129.tif 000017
【国際調査報告】
2015537129.tif 000018
2015537129.tif 000019
2015537129.tif 000020
2015537129.tif 000021